Podtech/llm-jp-corpus-v4-ja_patent huggingface dataset:
(57)【要約】      （修正有）【課題】石鹸を携帯可能として外出時に必要な分を無駄なく使用できる容器入り石鹸を提供する。【解決手段】開閉自在の容器内に、複数個で１回の手洗い量となる大きさの石鹸１を複数個収容すると共に、この容器１０は開放時に一回に振り出せる複数個の石鹸の数を規制した振り出し口が露出する振り出し容器としている。この容器１０は本体１１と、本体に対してスライドして開閉される引き出し部１２により構成されると共に、引き出し部を閉止状態から一定量引き出すことにより振り出し口１３が露出するようにしている。【選択図】図１
0003143869.tif 000002
【実用新案登録請求の範囲】
【請求項１】
開閉自在の容器内に、複数個で１回の手洗い量となる大きさの石鹸を複数個収容したことを特徴とする容器入り石鹸。
【請求項２】
石鹸の体積は０．２６立法センチメートル以下である請求項１記載の容器入り石鹸。
【請求項３】
石鹸は球状に成形されたものである請求項１または２記載の容器入り石鹸。
【請求項４】
石鹸は偏平のタブレット状に成形されたものである請求項１または２記載の容器入り石鹸。
【請求項５】
容器を、一回に振り出せる複数個の石鹸の数を規制した振り出し口が開放時に露出する振り出し容器とした請求項１または２記載の容器入り石鹸。
【請求項６】
本体と、本体に対してスライドして開閉される引き出し部により容器を構成すると共に、引き出し部を閉止状態から一定量引き出すことにより一回に振り出せる複数個の石鹸の数を規制した振り出し口が露出するようにした請求項５記載の容器入り石鹸。
【考案の詳細な説明】
【技術分野】
【０００１】
この考案は、外出に際して携帯することのできる石鹸に関する。
【背景技術】
【０００２】
感染症の予防には外出時に小まめに石鹸で手を洗うことが有効であるとされている。この場合、ときとして石鹸を備えていない手洗い所があったり、あるいは石鹸を備えていても殺菌力や香りの観点から手洗いに適せず、自分専用の石鹸を使用したいことがある。
【０００３】
前記の目的のための携帯可能な石鹸としては粉状の石鹸を小分け袋に収容したもの（例えば特許文献１）、フィルム状の石鹸を袋に収容したもの（例えば特許文献２）、リップスティック状の石鹸を繰り出し容器に収容した容器入り石鹸（特許文献３）、小型の石鹸を円筒形の容器に複数個収容した容器入り石鹸（特許文献４、５）が公知であった。
【０００４】
【特許文献１】特開２００４−２１１０４５号公報
【特許文献２】特開２００４−２１１０４５号公報
【特許文献３】特開２００２−２０７９９号公報
【特許文献４】特開２００６−１８８５６５号公報
【特許文献５】特開２００５−４２０７７号公報
【考案の開示】
【考案が解決しようとする課題】
【０００５】
しかしながら、前記の特許文献１〜２に記載の石鹸は使用にあたり一々包装を外さなくてはならない煩わしさがあり、しかも開封済の包装を廃棄しなくてはならない煩わしさもあった。
【０００６】
また、特許文献３に記載の石鹸はリップスティック状の石鹸を繰り出すための機構を持った容器が必要となりコストが嵩み、一方、使用後に残った石鹸の端面は濡れているので携帯に支障をきたすおそれがあった。
【０００７】
また、特許文献４、５に記載の石鹸は１回の手洗い量となる大きさの石鹸を想定したものであるが、人により石鹸の１回あたりの使用量は千差万別であり、１回で使い切れなかった場合は溶け残りの濡れた石鹸片が残ることになり、携帯に支障をきたすおそれがあった。一方、石鹸が溶けきるまで使用する場合は、１回の手洗い量となる大きさの場合は時間を要し、限られた時間で手洗いを済ませなければならない外出時の使用にそぐわない問題もあった。
【課題を解決するための手段】
【０００８】
この考案の容器入り石鹸は、以上の従来技術の問題点に鑑みて創作されたものであり、開閉自在の容器内に、複数個で１回の手洗い量となる大きさの石鹸を複数個収容したことを特徴とする。
【０００９】
また、ここでは前記の容器入り石鹸において、容器を、一回に振り出せる複数個の石鹸の数を規制した振り出し口が開放時に露出する振り出し容器とした考案も第２考案として開示する。
【考案の効果】
【００１０】
この考案によれば、石鹸は複数個で１回の手洗い量となる大きさに構成されるので、自分の使用量にあった数の石鹸を容器から取り出して使用することにより、溶け残りの濡れた石鹸片が残ることが防止される。また、石鹸は複数個で１回の手洗い量となる大きさに構成されることから、１回の手洗い量となる大きさの石鹸に比しトータルの表面積が大きくなる。よって、使用に際しては迅速に溶け切るので、限られた時間で手洗いを済ませなければならない外出時の使用にも支障を来さない。
【００１１】
一方、第２考案によれば、開放時に一回に振り出せる複数個の石鹸の数を規制した振り出し口が露出する振り出し容器内に複数個の石鹸を収容するので、ワンタッチで石鹸を振り出すことができ、片手で迅速に石鹸を取り出すことが可能となる。
【考案を実施するための最良の形態】
【００１２】
以下、この考案の容器入り石鹸の具体的実施例を添付図面に基づいて説明する。図１はこの考案の容器入り石鹸の全体を示す図である。図中符号１０は容器であり、ここでは開放時に一回に振り出せる複数個の石鹸の数を規制した振り出し口が露出する振り出し容器としている。この容器１０は本体１１と、本体に対してスライドして開閉される引き出し部１２により構成されると共に、引き出し部を閉止状態から一定量引き出すことにより振り出し口１３が露出するようにしている（図２参照）。この実施例においては、引き出し部１２の始端から一定範囲を、石鹸１が通過することができる数が規制される程度の幅に狭窄することにより、一回に振り出せる複数個の石鹸の数を規制する機能を有する振り出し口１３としている。
【００１３】
次に石鹸１は複数個で１回の手洗い量となる大きさに構成されるが、ここではその大きさを体積は０．２６立法センチメートル（球状の石鹸の場合、最大で直径８ｍｍ）以下のものと規定している。また、石鹸の具体的な形態は図３、４に示す球状の石鹸１の他、図５、６に示す偏平のタブレット状の石鹸２１などが想定される。
【００１４】
次に石鹸の具体的な寸法を例示すれば直径６〜７ｍｍ程度の球状のものや、直径６〜７ｍｍ程度、高さ３ｍｍ程度の偏平のタブレット状のものが好適であり、これを５０個程度容器に収容する。
【図面の簡単な説明】
【００１５】
【図１】この考案の容器入り石鹸の開放時の斜視図。
【図２】同上、振り出し時の使用状態の斜視図。
【図３】同上、石鹸の正面図。
【図４】同上、石鹸の正断面図。
【図５】同上、異なる実施例の石鹸の正面図。
【図６】同上、異なる実施例の石鹸の正断面図。
【符号の説明】
【００１６】
１        石鹸
１０      容器
１１      （容器の）本体
１２      （容器の）引き出し部
１３      振り出し口
２１      異なる実施例の石鹸
【図１】
0003143869.tif 000003
【図２】
0003143869.tif 000004
【図３】
0003143869.tif 000005
【図４】
0003143869.tif 000006
【図５】
0003143869.tif 000007
【図６】
0003143869.tif 000008
(57)【要約】      （修正有）【課題】簡単な構造で、かつ低コストに清掃部材の離脱を防止する清掃用品を提供する。【解決手段】清掃部材及び枠体を有する清掃用品であって、枠体に複数の貫通孔を有し、その貫通孔は大内径部及び小内径部とからなり、梱状に巻き付けた清掃部材の折り目を小内径部から大内径部にまで詰め込んで、更にその清掃部材を引き戻せることによって、その清掃部材をその枠体に固定する。【選択図】図４
0003143897.tif 000002
【実用新案登録請求の範囲】
【請求項１】
枠体は複数の貫通孔を有し、
その貫通孔は大内径部及び小内径部からなり、
梱状に巻き付けた清掃部材の折り目を小内径部から大内径部にまで詰め込んで、その清掃部材を引き戻させるように、清潔部材を枠体に固定することを特徴とする、
清掃部材及び枠体を有する清掃用品。
【請求項２】
前記小内径部の表面に摩擦表面を有することを特徴とする、請求項１に記載の清掃用品。
【請求項３】
前記大内径部の表面に摩擦表面を有することを特徴とする、請求項１または２に記載の清掃用品。
【考案の詳細な説明】
【技術分野】
【０００１】
本考案は清掃部材及び枠体を有する清掃用品に関するもので、特にその枠体に複数の貫通孔を有し、その貫通孔は大内径部及び小内径部からなり、梱状に巻き付けた清掃部材の折り目を小内径部から大内径部にまで詰め込んで、更にその清掃部材を引き戻せることによって、その清掃部材をその枠体に固定する清掃部材及び枠体を有する清掃用品に関するものである。
【背景技術】
【０００２】
清掃部材（棉布など、特に限定されるものでないが、いずれの柔らかいものでもよい）を枠体に固定する場合、しばしば清掃部材は容易に離脱してしまう恐れがある。
【考案の開示】
【考案が解決しようとする課題】
【０００３】
清掃部材を枠体に固定する場合、清掃部材が容易に離脱しないように、如何にして一番簡単な構造で以って清掃部材を構成することが、一つの課題になっている。
例えば、一番簡単でコスト低減のために清掃部材を効果的に固定することができれば、その清掃部材は幅広い分野で応用することができる。
例えば、清掃用品をモップヘッドのフレームとしてモップヘッドの接合機構と接合してモップとして使用できる。
または直接的に清掃部材に接合孔を設置してモップの長尺状管と接合してモップとして使用するか、または、直接的にその清掃部材を把持してモップとして使用することができる。
【課題を解決するための手段】
【０００４】
本考案は清掃部材及び枠体を有する清掃用品に関するもので、特にその枠体に複数の貫通孔を設け、その貫通孔は大内径部及び小内径部からなり、梱状に巻き付けた清掃部材の折り目を小内径部から大内径部にまで詰め込んで、更にその清掃部材を引き戻せることによって、その枠体をその清掃部材に固定するものである。
【考案の効果】
【０００５】
本考案に係る清潔用品は、清掃部材を枠体に固定することが容易となって、丈夫である。
更に構成が簡単であるために、製造コストも大幅に低減できる。
【考案を実施するための最良の形態】
【０００６】
図１及び図２のように、本考案の枠体１０は、複数の貫通孔１１を有する。
貫通孔１１毎の内径部は大内径部１１１と小内径部１１２とから構成される。
図３Ａは、梱状に巻き付けた清掃部材３０の折り目Ｖから折らせることを示す。
【０００７】
図３Ｂは、その清掃部材３０の折り目を小内径部１１２から大内径部１１１にまで詰め込んだことを示す。
この時、清掃部材３０はやわらかい構造であるため、小内径部１１２に通過して大内径部１１１に入った後で膨張していく。大内径部１１１を通過してからより膨大するようになる。
【０００８】
図３Ｃは図３Ｂに続けて、枠体１０の表面に突出している清掃部材３０で膨らんだ部位を引き戻すことによって、その清掃部材３０をその枠体１０に固定したことを示す。
清掃部材３０が柔らかいもののであるため、引き戻した後に、その清掃部材３０はその枠体１０と緊密に接合する。
一つの実施例を挙げて見ると、その清掃部材３０の折り目Ｖの位置でその大内径部のエッジを超過していないので、その枠体１０を緊密に固定することができる。
その折り目Ｖは必要によりその清掃部材３０を位置決めることができる。
【０００９】
他の実施例において、小内径部１１２または大内径部１１１の表面にギアのような摩擦表面を設置する場合もある。
小内径部１１２または大内径部１１１の表面にギアのような摩擦表面を形成すことによって、清掃部材３０の固定効果を増進することができる。
【００１０】
図４は本考案に係る清掃部材３０及び枠体１０より構成される清掃用品を示す。
【図面の簡単な説明】
【００１１】
【図１】本考案に係る清掃部材及び枠体を有する清掃用品の立体図である。
【図２】本考案に係る清掃部材及び枠体を有する清掃用品の斜視図である。
【図３Ａ】本考案に係る清掃部材と枠体の貫通孔と接合するステップ図である。
【図３Ｂ】本考案に係る清掃部材と枠体の貫通孔と接合するステップ図である。
【図３Ｃ】本考案に係る清掃部材と枠体の貫通孔と接合するステップ図である。
【図４】本考案に係る清掃部材及び枠体を有する清掃用品である。
【符号の説明】
【００１２】
１０      枠体
１１      貫通孔
３０      清掃部材
１１１    大内径部
１１２    小内径部孔
【図１】
0003143897.tif 000003
【図２】
0003143897.tif 000004
【図３Ａ】
0003143897.tif 000005
【図３Ｂ】
0003143897.tif 000006
【図３Ｃ】
0003143897.tif 000007
【図４】
0003143897.tif 000008
(57)【要約】      （修正有）【課題】刈払機を用いて雑草などの除草を行う時、エンジンの回転数が高すぎ、削り取った土や小石などを周囲に激しくはねとばすことのない刈払機用回転刃を提供する。【解決手段】除草用回転刃の直径を雑草などを刈払う回転刃の直径よりも格段に縮小し、その円周速度を大きく減少させる。次に除草用回転刃を回転板の刈払機への取付け孔近房から谷折りにして下方に向けた立ち上げ部位を形成し、その先を湾曲させて地面に並行する、偏芯して厚味のある立体的な形状にし、弾力と緩衝力を持たせる。【選択図】図１
0003143885.tif 000002
【実用新案登録請求の範囲】
【請求項１】
回転板１の刈払機への取付け孔２の近房から下方に向けて谷折りに折曲して立ち上げ部位３を形成し、その先を外向けに湾曲し、地面に並行させて成る除草刃４を有する除草用回転刃。
【考案の詳細な説明】
【技術分野】
【０００１】
本考案は、刈払機に取付けて雑草などを除草する除草用回転刃に関するものである。  
【背景技術】
【０００２】
刈払機は小さな機械であり乍ら、雑草などを刈払うには大きな仕事をする。手軽で便利な機械であるから、雑草などを刈払う作業だけでなく、手間のかかる雑草などを除草する作業にも大いに使用したいものである。
【考案の開示】
【考案が解決しようとする課題】
【０００３】
刈払機を用いて雑草などを除草するためには、除草用の回転刃が必要である。該回転刃について調べてみれば、先願があるものの、商品になって市販されているものは、まだ見当たらない様である。考察してみるに、それは、除草用回転刃によって削り取られた土や小石などが、該回転刃の高速回転によつて生じる強力な遠心力によって外側に激しくはねとばされる仕組みになっており、作業の現場に於いては、作業者の目や身体、周囲の人や物までも傷つけてしまう危険があるからではなかろうか。
【課題を解決するための手段】
【０００４】
そこで本考案の、除草用回転刃はまず、該回転刃の直径を雑草などを刈払う回転刃の直径よりも格段に縮小する事により、該回転刃の円周速度を従来の雑草などを刈払う回転刃よりも格段に遅くした。次に除草用回転刃を、回転板の、刈払機への取付け孔近房から谷折りに下方に向けて折曲して立ち上げ部位を形成し、その先を外側に向けて湾曲させ、地面に並行する除草刃を有する偏芯して厚味のある立体的な形状にし、弾力と緩衝力を持たせた。 
【考案の効果】
【０００５】
１、本考案の除草用回転刃は、従来の雑草などを刈払う回転刃よりもその直径を格段に縮小した事により、該回転刃の円周速度を従来の雑草などを刈払う回転刃よりも格段に遅くし、該回転刃よって削り取った土や小石などの周囲へのはねとばしを減少させる事ができた。
【０００６】
１、本考案の除草用回転刃は、回転板の、刈払機への取付け孔近房から下方に立ち上げた偏芯して厚味のある立体的な形状により回転刃に弾力を有し、回転刃と土や小石などの衝突の衝撃を吸収して該土や小石どの周囲へのはねとばしを減少させると共に、刈払機を操作する作業者の手に伝わる振動を緩和した。
【０００７】
１、本考案の除草用回転刃は、雑草などを刈払う回転刃よりもその直径を格段に縮小した事により、回転刃の駆動力は逆に増大した。柔い砂地などでは必要により地表だけでなく、少し深い土中も削り耕して除草の作業をする事が可能になつた。
【０００８】
１、本考案の除草用回転刃は、刈払機の駆動軸への取付け孔が厚味のある立体的な形状の奥まった部位にあり、地面との接触による取付けボルトや取付けナットなどの摩耗が少ない。
【考案を実施するための最良の形態】
【０００９】
刈払機は、その軽便さが命であるから、回転刃の駆動力は、小さなエンジンを高速回転させる事よって得ている。このエンジンの高速回転は、雑草などを刈払う作業には好まし
い回転数であるが、雑草などよりもはるかに密度の高い土や小石などを削り取る除草の作業をするにはエンジンの回転数が高過ぎて、回転刃と土や小石などがぶつかる衝撃が大きく、削り取った土や小石などを周囲に激しくはねとばしてしまう難点がある。そこで本考案の除草用回転刃は、雑草などを刈払う回転刃よりもその直径を格段に縮小する事によって円周速度を格段に遅くした。その結果除草用回転刃と土や小石などのぶつかる衝撃も従来に比べ格段に緩和され、回転刃によって削り取られた土や小石などが周囲にはねとばされるのを減少させる事ができた。更に前記の如く円周速度の遅くなった除草用回転刃の駆動力は逆に従来よりもはるかに強力になった。次に本考案の除草用回転刃は回転板の刈払機の駆動軸への取付け孔近房から谷折りに折曲して下方に向けて立ち上げ部位を形成し、その先を下方に向けて湾曲させ、地面に並行する除草刃を有する厚味のある立体的な形状にした。本考案の除草用回転刃は、立ち上げ部位を設ける事により偏芯して、厚味のある立体的な形状により弾力を有し、この弾力がぶつかる土や小石などからの衝撃を吸収し、作業中の作業者の手に伝わる振動を緩和することができる。また前記の如く駆動力を増した本考案の除草用回転刃は、偏芯して厚味のある立体的な形状と相まって、柔らかい砂地など条件により、必要により、土の表面のみならず、地中の少し深くまでも削って耕して除草する事ができる。
【実施例】
【００１０】
図１は、本考案の除草用回転刃の裏側から見た斜視図であるから、刈払機ヘの取付けはまず裏返しにしてから、刈払機の駆動軸に回転板１の刈払機への取付け孔２を嵌め、締付けボルト或いは締付けナット等にて固定する。平常は刈払機のハンドルを介し、回転刃を地面に軽く押しつけて地面を削り、砂地など柔い土地では必要により回転刃を地面に少し強く押しつけ、地中の少し深くまでも削り耕して除草する事が出来る。
【図面の簡単な説明】
【００１１】
【図１】本考案の除草用回転刃の裏側から見た斜視図である。
【符号の説明】
【００１２】
１、回転板
２、回転板１の刈払機への取付け孔
３、回転板１の立ち上げ部位
４、除草刃
【図１】
0003143885.tif 000003
(57)【要約】      （修正有）【課題】鉄骨構造の大屋根を有する温室において、高採光性，高保温性，高強度を達成した大屋根温室を提供する。【解決手段】大屋根温室１は、合掌屋根を構成する傾斜梁２及び柱３として孔明きウェブ部１１を有するＨ型鋼１０を用いる。Ｈ型鋼１０には、ウェブ部１１の幅方向二列の千鳥配置の円孔１２，１３が、一方の列の円孔１２（１３）が他の列の円孔１３（１２）同士の間に位置する様に多数形成され、連結する部分の近くは、ウェブ部１１に円孔１２，１３を形成しない平板部１４としている。Ｈ型鋼１０を採用することで構造面の強度を保ちつつも、ウェブ部１１に多数の円孔１２，１３を形成することで採光性も高め、かつ、二列千鳥配置とすることで熱伝達経路Ｌを長くして保温性も高め、連結強度も十分に保っている。【選択図】図１
0003143884.tif 000002
【実用新案登録請求の範囲】
【請求項１】
鉄骨構造の大屋根を有する温室であって、前記鉄骨としてウェブ部に透孔を多数形成したＨ型鋼を用いることを特徴とする大屋根温室。
【請求項２】
前記Ｈ型鋼を、ウェブ部の幅方向二列の千鳥配置の円孔が、各列の円孔が他の列の円孔同士の間に位置する様に配置された構成とすることを特徴とする請求項１記載の大屋根温室。
【請求項３】
前記鉄骨同士を連結する部分の近くは、前記ウェブ部に前記透孔を形成しない平板部としたことを特徴とする請求項１又は２記載の大屋根温室。
【考案の詳細な説明】
【技術分野】
【０００１】
本考案は、鉄骨構造の大屋根を有する温室に関する。
【背景技術】
【０００２】
従来、鉄骨構造の大屋根を有する温室が提案されている（例えば、特許文献１，２）。
【０００３】
これら鉄骨構造の大屋根を有する温室では、大きなガラスを用いることで採光性を高めている。
【特許文献１】特開平７−９９８４３号公報
【特許文献２】特開平９−２５６８３号公報
【考案の開示】
【考案が解決しようとする課題】
【０００４】
本考案は、鉄骨構造の大屋根を有する温室において、高採光性，高保温性，高強度を両立させることを目的とする。
【課題を解決するための手段】
【０００５】
上記目的を達成するためになされた本考案の大屋根構造の温室は、鉄骨構造の大屋根を有する温室であって、前記鉄骨としてウェブ部に透孔を多数形成したＨ型鋼を用いることを特徴とする。
【０００６】
本考案の大屋根構造の温室によれば、Ｈ型鋼を採用することで構造面の強度を保ちつつも、当該Ｈ型鋼のウェブ部に多数の透孔を形成することで、当該透孔を通して光が温室内に入射する様にして採光性も高めている。
【０００７】
ここで、前記Ｈ型鋼を、ウェブ部の幅方向二列の千鳥配置の円孔が、各列の円孔が他の列の円孔同士の間に位置する様に配置された構成とすることにより、Ｈ型鋼の外気側フランジ部と室内側フランジ部との間の熱伝達経路が千鳥配置の円孔の間を縫う経路となってウェブ部の幅よりも長い伝達距離にすることができる。この結果、高強度，高採光性に加えて、保温性をも高めたものとすることができる。
【０００８】
なお、さらに、前記鉄骨同士を連結する部分の近くは、前記ウェブ部に前記透孔を形成しない平板部とすることで、強度を十分に保った連結をも達成することができる。
【考案の効果】
【０００９】
本考案によれば、鉄骨構造の大屋根を有する温室において、高採光性，高保温性，高強度を両立させることができる。
【考案を実施するための最良の形態】
【００１０】
次に、本考案の実施の形態について説明する。実施形態としての大屋根温室１は、図１に示す様に、合掌屋根を構成する傾斜梁２及び柱３として孔明きウェブ部１１を有するＨ型鋼１０を用いる。
【００１１】
Ｈ型鋼１０には、図２に示す様に、ウェブ部１１の幅方向二列の千鳥配置の円孔１２，１３が、一方の列の円孔１２（１３）が他の列の円孔１３（１２）同士の間に位置する様に多数形成されている。なお、Ｈ型鋼同士を連結する部分の近くは、ウェブ部１１に円孔１２，１３を形成しない平板部１４としている。なお、円孔１２，１３は、ウェブ部１１を貫通している。
【００１２】
この大屋根温室１によれば、柱３や傾斜梁２としてＨ型鋼１０を採用することで構造面の強度を保ちつつも、当該Ｈ型鋼１０のウェブ部１１に形成した多数の円孔１２，１３を通して光が温室内に入射する様にして採光性も高め、かつ、二列千鳥配置の円孔１２，１３とすることで外気側フランジ部１５と室内側フランジ部１６との間の熱伝達経路Ｌが千鳥配置の円孔の間を縫う経路となってウェブ部の幅よりも長い伝達距離にすることができている。この結果、高強度，高採光性に加えて、保温性をも高めたものとすることができている。これだけに留まらず、本考案の大屋根温室１は、鉄骨同士を連結する部分の近くはウェブ部１１に円孔１２，１３を形成しない平板部１４とすることで、連結強度をも十分に保っている。
【００１３】
以上、本考案の一実施の形態について説明したが、本考案はこの実施の形態に限られるものではなく、その要旨を逸脱しない範囲内においてさらに種々の形態を採用することができることはもちろんである。
【図面の簡単な説明】
【００１４】
【図１】実施形態の大屋根温室の骨組み構造を示す正面透過図である。
【図２】実施形態で用いられるＨ型鋼を示し、（Ａ）は正面図、（Ｂ）は平面図、（Ｃ）は右側面図、（Ｄ）はＡ−Ａ拡大断面図、（Ｅ）はＢ−Ｂ拡大断面図である。
【符号の説明】
【００１５】
１・・・大屋根温室
２・・・傾斜梁
３・・・柱
１０・・・Ｈ型鋼
１１・・・ウェブ部
１２，１３・・・円孔
１４・・・平板部
１５・・・外気側フランジ部
１６・・・室内側フランジ部
Ｌ・・・熱伝達経路
【図１】
0003143884.tif 000003
【図２】
0003143884.tif 000004
(57)【要約】      （修正有）【課題】内部に蓄電機能を持たせた、携帯して充電可能な充電アダプターを提供する。【解決手段】ＡＣ／ＤＣ絶縁型変換回路３の出力端および充電アダプタ回路５の入力端が接続され、商用電源プラグ１がＡＣ／ＤＣ絶縁型変換回路３の入力端に接続されている蓄電式携帯型充電アダプタであって、リチウム充電電池２がリチウム電池保護回路４を介してＡＣ／ＤＣ絶縁型変換回路３の出力端および充電アダプタ回路５の入力端に電気的に接続され、充電アダプタプラグ６が充電アダプタ回路５の出力端に電気的に接続されており、前記各部材はいずれも樹脂製のハウジング内に組み込まれていることを特徴とする。【選択図】図１
0003143554.tif 000002
【実用新案登録請求の範囲】
【請求項１】
樹脂製のハウジング（７）内に組み込まれ、ＡＣ／ＤＣ絶縁型変換回路（３）の出力端および充電アダプタ回路（５）の入力端が接続され、商用電源プラグ（１）がＡＣ／ＤＣ絶縁型変換回路（３）の入力端に接続されている蓄電式携帯型充電アダプタであって、リチウム充電電池（２）がリチウム電池保護回路（４）を介してＡＣ／ＤＣ絶縁型変換回路（３）の出力端および充電アダプタ回路（５）の出力端に電気的に接続され、充電アダプタプラグ（６）が充電アダプタ回路（５）の出力端に電気的に接続されている、ことを特徴とする蓄電式携帯型充電アダプタ。
【考案の詳細な説明】
【技術分野】
【０００１】
本考案は電源充電器の技術分野に属する蓄電式携帯型充電アダプタに関する。
【背景技術】
【０００２】
通常、携帯電話機を充電する場合、商用電源がある条件下で充電アダプタを商用電源に接続して充電を行わなければならない。この場合の欠点は、時間や場所などの制限を受け、外出の使用中や、移動中に充電することはできず、そして携帯電話機が即時的に充電できないことから、途中で電池切れとなってしまうことが多々あり、即時的に充電できないことで人々の情報交流に影響を来してしまうというところである。
【考案の開示】
【０００３】
本考案の目的は、内部に蓄電機能を持たせた携帯して充電可能な充電アダプタを提供するところにある。このアダプタは商用電源プラグ１、ＡＣ／ＤＣ絶縁型変換回路３と、リチウム電池保護回路４と、リチウム充電電池２と、充電アダプタ回路５と、充電アダプタプラグ６と、ハウジング７とからなり、リチウム充電電池２はリチウム電池保護回路４を介してＡＣ／ＤＣ絶縁型変換回路３の出力端および充電アダプタ回路５の入力端に電気的に接続され、充電アダプタプラグ６は充電アダプタ回路５の出力端に電気的に接続され、商用電源プラグ１はＡＣ／ＤＣ絶縁型変換回路３の入力端に電気的に接続されている。本考案では、商用電源がある場合には、普通の携帯電話機用充電器として商用電源に接続されて携帯電話機を充電し、これと同時に、その内部の充電電池にも充電・蓄電を行う。そして携行外出時には、内部のリチウム充電電池が電力を供給して携帯電話機を充電できる。本考案はコンパクトで、構造が簡単で、携帯に便利で、使用しやすいという有益な効果を備えている。
【考案を実施するための最良の形態】
【０００４】
以下、図面を併せて本考案の具体的な実施例を詳細に説明する。
図１、図２、図３を参照されたい。本考案は商用電源プラグ１と、ＡＣ／ＤＣ絶縁型変換回路３と、リチウム電池保護回路４と、リチウム充電電池２と、充電アダプタ回路５と、充電アダプタプラグ６と、樹脂製のハウジング７とからなり、リチウム充電電池２はリチウム電池保護回路４を介してＡＣ／ＤＣ絶縁型変換回路３の出力端および充電アダプタ回路５の入力端に電気的に接続され、充電アダプタプラグ６は充電アダプタ回路５の出力端に電気的に接続され、商用電源プラグ１はＡＣ／ＤＣ絶縁型変換回路３の入力端に電気的に接続されており、前記各部材はいずれも樹脂製のハウジング７内に組み込まれている。本考案では、商用電源がある場合には、商用電源プラグ１を商用電源のコンセントに挿入し商用電源に接続して、そして商用電源はＡＣ／ＤＣ絶縁型変換回路３を経て低電圧の直流電源に変換されて、その出力端はリチウム電池保護回路４を介してリチウム充電電池２を充電し、更には充電アダプタ回路５に直接電力を供給する。充電アダプタ回路５は所定の規格電圧出力パラメータに基づいて充電アダプタプラグ６に電力を供給する。充電アダプタプラグ６は外部の携帯電話機の電源コネクタに挿入されて、異なる携帯電話機のコネクタ線に変換して異なる型式の携帯電話機に電気的に接続されて充電が行われる。商用電源がない場合、リチウム充電電池２がリチウム電池保護回路４を介して充電アダプタ回路５に電力を供給して、上記したように、充電アダプタ回路５が所定の規格電圧出力パラメータに基づいて充電アダプタプラグ６に電力を供給し、充電アダプタプラグ６は異なる携帯電話機のコネクタ線に変換して異なる型式の携帯電話機に電気的に接続されて充電が行われる。上記をまとめると、本考案では、商用電源がある場合には普通の携帯電話機用充電器として携帯電話機を充電し、これと同時に、その内部の充電電池にも充電・蓄電を行う。そして携行外出時には、内部のリチウム充電電池が電力を供給していつでもどこでも携帯電話機を充電できる。本考案はコンパクトで、構造が簡単で、携帯に便利で、使用しやすいという有益な効果を備えている。
【図面の簡単な説明】
【０００５】
【図１】本考案の回路原理のブロック図である。
【図２】本考案の構造配置の概略図である。
【図３】本考案の外観正面図である。
【図１】
0003143554.tif 000003
【図２】
0003143554.tif 000004
【図３】
0003143554.tif 000005
(57)【要約】      （修正有）【課題】布袋に長い紐を付けて座席前の取り付けテーブルに掛けるようにして、物品の取り出しや収納が容易に出来る袋を提供する。【解決手段】布袋の表側に布で額縁状にしたチュールを付けることにより中身が見やすく取り出しが容易となる。袋の上部に面ファスナーを付け、左右に長い紐を取り付ける。袋の寸法は縦２２ｃｍ横３１ｃｍ、表面チュールは縦１６ｃｍ横２１ｃｍ、紐の長さは８０ｃｍとする。【選択図】図１
0003143574.tif 000002
【実用新案登録請求の範囲】
【請求項１】
布袋の表側中央に内部が見えるように額ぶち布のチュールを縫い付けて、裏側は一枚の布とし、開口部に面フアスナーを付けた飛行機内で使用する物品を収納する袋。
【請求項２】
長い紐を付けることにより飛行機内のテーブル後方部に掛けることが出来る請求項１記載の袋。
【考案の詳細な説明】
【技術分野】
【０００１】  本考案は布からなる長い紐付き袋に関する。
【背景技術】
【０００２】  持ち手のない袋物。持ち手の短い袋物。
【考案の開示】
【考案が解決しようとする課題】
【０００３】  持ち手のない袋物や短い持手の袋物は座席の前の網袋にはかさばって入れにくい。座席に置くと邪魔になったり置き忘れるおそれがある。
【課題を解決するための手段】
【０００４】  布袋に長い持ち手を付ける。
【考案の効果】
【０００５】  布袋に長い持ち手を付けることにより座席前のテーブル部分に掛けることが出来る。
【考案を実施するための最良の形態】
【０００６】  布袋の表側に布で額縁状にしたチュールを付けることにより中身が見やすく取り出しが容易となる。袋の上部に面フアスナーを付け、左右に長い紐を取り付ける。袋の寸法は縦２２ｃｍ横３１ｃｍ、表面チュールは縦１６ｃｍ横２１ｃｍ、紐の長さは８０ｃｍとする。
【産業上の利用可能性】
【０００７】  袋物製造業界で利用出来る。
【図面の簡単な説明】
【０００８】
【図１】  本考案品の前から見た図を示す。
【図２】  本考案品の後から見た図を示す。
【符号の説明】
【０００９】  １  本考案の袋
２  チュール
３  長い紐
４  面フアスナー（フツク）
５  面フアスナー（ループ）
【図１】
0003143574.tif 000003
【図２】
0003143574.tif 000004
(57)【要約】      （修正有）【課題】接着部の引張りに対して、強固な抵抗力を発揮する接着接続部を提供する。【解決手段】棒状パイプ１と受け部材２を嵌合接着する接続部において、棒状パイプ表面１１とと受け部材表面２１の両者に接着剤３導入用のレ型溝が設けられている。レ型溝は接続部の引き抜き力に抗する方向に垂直面が配されているため、接続部の引き抜き力に対して、硬化した接着剤３の引っ掛かり力が大きな抵抗力となり、強固で信頼性の高い接続部が得られる。【選択図】図１
0003143576.tif 000002
【実用新案登録請求の範囲】
【請求項１】
一方の部材の雌穴に他方の部材の雄部を嵌合させると共に当該嵌合部に接着剤を塗布して接続させる接着接続部において、少なくとも前記雌穴内面または雄部外面のどちらかに、あるいは前記雌穴内面および雄部外面の両方に接着剤導入用のレ型溝を設けるものであり、かつ、レ型溝は接続部の引抜き力に抗する方向に垂直面が配されたものであることを特徴とする接着接続部。
【考案の詳細な説明】
【産業上の利用分野】
【００１】本考案は、例えばプラスチック部材の雄雌部の嵌合接続において、引抜きに対する接着抵抗力を強固にするための接着接続部に関するものである。
【背景技術】
【００２】プラスチック部材の雄雌部を接着剤で嵌合接続する場合、嵌合面に凹凸を形成して表面積を大きくして接着強度を向上させる方法は種々提案されている。
【考案が解決しょうとする課題】
【００３】しかしながら、このような差し込みによる接続部の場合、十分な接着効果が得られず、特に、接続部の引張りに対しての抜け抵抗力に高い信頼性が得られないという問題があった。
【００４】本考案は、このような従来の実情に鑑みてなされたもので、互いに接着接続しょうとする両部材の雌穴と雄部に接着剤を塗布し、強固な抜け抵抗力を持つ接着接続部を提供せんとするものである。
【課題を解決するための手段】
【００５】かかる本考案の具体的な方法は、一方の部材の雌穴に他方の部材の雄部を嵌合させると共に当該嵌合部に接着剤を塗布して接続させる接着接続部において、少なくとも前記雌穴内面または雄部外面のどちらかに、あるいは前記雌穴内面および雄部外面の両方に接着剤導入用のレ型溝を設けるものであり、かつ、レ型溝は接続部の引抜き力に抗する方向に垂直面が配されたものである接着接続部にある。
【００６】上記のレ型溝とは、図２に示すように、垂直面４１と傾斜面４２の２面で囲まれたレ型の溝４の形状である。
【作用】
上記の接着接続部には、接着剤導入用のレ型溝があるため、接着剤の引っ掛かり面積が増大し、接続部に引抜き力が掛かった時には、大きな抵抗力となり、高い接着信頼性が得られる。
【実施例】
【００７】図１は、本考案に係る接着接続部の一実施例を示したものである。図１においては、長尺な棒状パイプ１（雄部）とこれに嵌合して接続する受け部材２（雌穴）が接着材３で固定されている。
この棒状パイプ１（雄部）の嵌合表面１１と受け部材２（雌穴）の嵌合表面２１には、両者共、図２に示す接着剤導入用のレ型溝４が設けられている。【００８】これらの両部材１、２の接続に際しては、先ず、棒状パイプ表面１１に接着剤３を塗布し、レ型溝に接着剤３を流し込んでおく。一方、受け部材表面２１も同様に接着剤３を塗布し、レ型溝に接着剤３を流し込み、両者を嵌合し、接着剤３が硬化すれば、本考案の目的とする接着接続部が得られる。【００９】この接着接続部では、棒状パイプ１から受け部材２を引抜く力がかかったとき、接続部の引抜き力に抗する方向に棒状パイプ表面１１のレ型溝１４および受け部材表面２２のレ型溝２４の垂直面が配されているため、硬化した接着剤の引っ掛かり力が大きな抵抗力となり、強固で信頼性の高いものとなる。【０１０】なお、上記実施例では、棒状パイプ（雄部）嵌合表面１１と受け部材（雌穴）の嵌合表面２１の両者にレ型溝を設置しているが、材料と接着剤との関係により、接着力の弱い部材側にのみ設けることもできる。【０１１】また、上記実施例では、棒状パイプ１と受け部材２との接続の場合であったが、本考案はもちろんこれに限定されるものではなく、一般的な２つの部材同士を接着する場合にも適用することができる。
【考案の効果】
【０１２】以上の説明から本考案に係る接着接続部によれば、互いに接着接続しょうとする両部材の片方または両方にレ型溝を設けて、接着剤を導入させて硬化させるため、引抜き力に対して、強固な抵抗力を持ち、安定度の高い接続が得られる。
【図面の簡単な説明】
【０１３】
【図１】本考案にかかる棒状パイプと受け部材を接着接続した部分の断面図である。
【図２】レ型溝の形状を示す斜視図である。
【符号の説明】
【０１４】１    棒状パイプ
２    受け部材
３    接着剤
４    レ型溝
１１  棒状パイプの表面
２１  受け部材の表面
１４  棒状パイプ表面に設けたレ型溝
２４  受け部材表面に設けたレ型溝
４１  レ型溝の垂直面
４２  レ型溝の傾斜面
【図１】
0003143576.tif 000003
【図２】
0003143576.tif 000004
(57)【要約】      （修正有）【課題】引火点が高く燃焼が困難とされる潤滑油や雑廃油を、直接完全燃焼させることが出来る廃油燃焼装置を提供する。【解決手段】給気温度が２００℃以上になるよう燃焼ガス熱で給気を予熱させ燃焼室内に噴流させる。この給気と廃油を効率よく混ぜ合わせることで良好な燃焼を得る。同時に燃焼室外側が給気で冷却されるため、給気予熱室が４００℃以下に保たれる。従って、給気予熱室は融点の低い鋼管を使用することが可能となる。【選択図】図１
0003143579.tif 000002
【実用新案登録請求の範囲】
【請求項１】
引火点が高く燃焼が困難とされる廃油を直接完全燃焼させるため、燃焼に必要な給気の温度を２００℃以上に予熱し、燃焼室内に渦流にして噴流させる手段を備えた廃油燃焼装置。
【考案の詳細な説明】
【技術分野】
【０００１】  本考案は、各種機械から排出された潤滑油や使用済みの食用油などの廃油を、燃料として再利用する廃油燃焼装置に関するものである。
【背景技術】
【０００２】  従来の廃油燃焼装置は、引火点が高く燃焼が困難な廃油を燃料として使用するため、廃油中に引火点の低い灯油や重油などを混合させるか、または廃油をバーナー等の補助装置で十分に加熱し燃焼させるという方法を用いる。
【考案の開示】
【考案が解決しようとする課題】
【０００３】  しかしながら、昨今の原油価格の高騰に伴い、廃油に混合させる灯油や重油の購入費による負担増加や、廃油を加熱させるための補助装置の設置が不可欠であるといった問題点がある。
【課題を解決するための手段】
【０００４】  本考案は、燃焼に必要な給気の温度を２００℃以上に予熱してから燃焼室へ噴流させる構造を提供することで、引火点が高く燃焼が困難な雑廃油を直接完全燃焼させることを可能とし、上記課題を解決する。
【考案の効果】
【０００５】  引火点が高く燃焼が困難な廃油を直接燃焼させることが可能なので、廃油中に灯油や重油などを混ぜたり、雑廃油をバーナー等の補助装置で加熱したりする必要がない。これにより、安価に運転することが可能な、単純構造の燃焼装置を提供できる。また、廃油のみを燃焼させるため燃焼温度が１０００℃以上に達し、完全燃焼が促進され、排気臭やダイオキシン等の排煙煤の放出を軽減させる効果がある。
【実施例】
【０００６】  図１に示すように、給気温度が２００℃以上になるよう燃焼ガス熱で給気を予熱させ燃焼室内に噴流させる。この給気と廃油を効率よく混ぜ合わせることで良好な燃焼を得る。同時に燃焼室外側が給気で冷却されるため、給気予熱室が４００℃以下に保たれる。従って、給気予熱室は融点の低い鋼管を使用することが可能となる。【０００７】  点火時は燃焼室温度が低いため、燃焼皿に廃油を浸み込ませたウエスを置き、これに手動で着火してから燃焼室が３００℃以上に昇温するまで、約５分程度の予熱時間を設ける。
【産業上の利用可能性】
【０００８】  上述の考案は、安価に運転することが可能な単純構造の廃油燃焼装置であり、発生熱量が大きいため、ハウス栽培用や、雪国の融雪用熱源装置や、送電線設備のない山間僻地の小型火力発電機用蒸気発生器として利用可能である。また、本体から放熱する放射熱の他に、煙突外周からの廃熱利用も可能である。【０００９】  ２００７年度の実例として、ハウス床面積３３０ｍ２当り、毎月の燃料費が５０万円であるとすれば、廃油燃料に切り替えると１万円程度となり、約５０分の１に減額出来る試算が成立する。
【図面の簡単な説明】
【００１０】
【図１】  本考案の廃油燃焼装置の主要部分となる構成図である。
【符号の説明】
【００１１】  １・・・給気予熱室
２・・・燃焼筒
３・・・燃焼リング
４・・・給気噴流口
５・・・燃焼室
６・・・燃焼皿
７・・・給気入り口
８・・・爆発防止蓋
９・・・廃油入り口
１０・・・排煙出口
【図１】
0003143579.tif 000003
(57)【要約】      （修正有）【課題】額縁等を吊り下げた時、揺れや振動で左右が動き、水平が歪むのを防止する揺れ止め金具を提供する。【解決手段】額縁の裏面下部の両端左右に揺れ止め金具を額縁と壁側の間に挟んで固定することにより、触ったり振動で左右のバランスが歪むことなく、前記金具がＶ字型のため額縁の大小や形状によって対応する事が出来るので安定して固定する事ができる。【選択図】図１
0003143563.tif 000002
【実用新案登録請求の範囲】
【請求項１】
本考案の揺れ止め金具は金属又は樹脂の材料でＶ字型を有し、先端に針状の突起物又は両面テープを取り付け、額縁と壁の間に挟み固定すると額縁が傾むくのを防止する金具である
【請求項２】
額縁裏側の下部左右両端に揺れ止め金具を取り付け、次に額縁を壁側に押し付けるか又は挿入することにより、額縁が振動で傾くことなく安定して固定するのが特徴である
【考案の詳細な説明】
【技術分野】
【０００１】本考案は額縁等を吊り下げた時、揺れたり振動で左右が動き、水平が歪むのを防止する、揺れ止め金具である。
【背景技術】
【０００２】額縁を吊り下げた時は水平でも、歪んで来ると見苦しいですが防止策は色々パテントがあるが、額縁にも形状や大小、壁側にも色んな形があって利用価値が少なく余り使用されていません
【文献１】
【０００３】実開平６−５２６３８には額縁や壁の形状によってはピンが壁面に届かない場合や双方が固くて挿入できない場合もある。
【考案の開示】
【考案が解決しようとする課題】
【０００４】額縁が触れたり振動で動いても傾く事もなく、いつも左右のバランスガ良くいつまでも水平でありたいものです。
【課題を解決するための手段】
【０００５】額縁裏側下部（図４）に揺れ止め金具（図１）を左右に取り付け額縁と、壁側Ａの間に揺れ止め金具を固定することにより額縁が水平に安定する
【考案の効果】
【０００６】揺れ止め金具（図１）を額縁に取り付け壁側Ａに密着することにより動く事がなく固定して安定する
【考案を実施するための最良の形態】
【０００７】揺れ止め金具（図１）をＶ型にすると、額縁の形や大きさ、壁側がそれぞれ異なるので、Ｖ型にすると、どの隙間にも適合し突起針が双方に挿入されると安定しますが額縁や壁側が硬くて挿入できない場合は代わりに両面テープ（図２）で固定する。
【産業上の利用可能性】
【０００８】一般に使用する押しピンと同じような利用が出来る
【図面の簡単な説明】
【図１】揺れ止め金具
【図２】揺れ止め金具に両面テープを取り付けた図
【図３】額縁を壁面Ａに掛け下部に揺れ止め金具（図３）を取り付けた図
【図４】額縁の裏面
【図１】
0003143563.tif 000003
【図２】
0003143563.tif 000004
【図３】
0003143563.tif 000005
【図４】
0003143563.tif 000006
【手続補正書】
【提出日】平成20年4月23日(2008.4.23)
【手続補正１】
【補正対象書類名】実用新案登録請求の範囲
【補正対象項目名】全文
【補正方法】変更
【補正の内容】
【実用新案登録請求の範囲】
【請求項１】
金属又は樹脂の材料でＶ字型を形成し、先端に針状の突起物又は両面テープを取り付け、額縁と壁との間に挟み固定することを特徴とする揺れ止め金具。
【請求項２】
Ｖ字型の一端に設けた突起物又は両面テープを額縁裏側の下部左右両端に取り付け、Ｖ字型の他端に設けた突起物又は両面テープを壁側に取り付けたことを特徴とする請求項１に記載の揺れ止め金具。
(57)【要約】      （修正有）【課題】筒に排尿口を設け、尿汚れを防止できるはね上げ装置付筒状水洗小便器を提供する。【解決手段】筒の一端と軸承に回転自在に支持された回転軸を取り付けた筒が、上下左右に可動する、他端に排尿口を設け、筒の縁を股に押し当てて筒の中に排尿する。また、筒の内側に給水口を配置し、排尿中は筒の中に水を流し、使用しない時は筒をはね上げ止水する。尿汚れ防止に役立つ。【選択図】図１
0003143565.tif 000002
【実用新案登録請求の範囲】
【請求項１】
筒の一端に軸承に回転自在に支持され、回転軸に取り付けた筒が上下左右に可動する。他端に排尿口を設け、筒の中に排尿する。筒の内側に給水口を配置し、使用中は筒内に水を流し、使用しないときは筒をはね上げ止水する事を特徴とする、はね上げ装置付筒状水洗小便器。
【考案の詳細な説明】
【技術分野】
【０００１】  本考案は、筒の一端に排尿口を設け、他端に回転軸に取り付けた筒が上下左右に可動する、小便器に関するものである。
【背景技術】
【０００２】  加齢とともに身体機能低下により、便器周りを汚す事が多い。
【考案の開示】
【考案が解決しようとする課題】
【０００３】  便器周りの汚れ掃除などに時間的・労働的負担がある、従って筒の中に排尿すれば便器周りを汚すことなく、不快な状態を解決しようとするもである。
【問題を解決するための手段】
【０００４】  本考案は、  筒の一端に軸承に回転自在に支持され、回転軸に取り付けた筒が上下左右に可動する。他端に排尿口を設け、筒の縁を股に押し当て筒の中に排尿する。又、筒の内側に給水口を配置し、排尿中は筒の中に水を流し、使用していない時は筒をはね上げ止水し、尿汚れの問題を解決する。
【考案の効果】
【０００５】  本考案の、はね上げ装置付筒状水洗小便器は、筒の一端に排尿口を設け、筒の中に排尿することにより、便器周りを汚すことがなく、筒をはね上げれば周りが広く使えて尿汚れ防止につながる。
【考案の実施すための最良の形態】
【０００６】  筒の一端に排尿口を設け、他端軸承に回転自在に支持された回転軸、取り付けた筒が背の高さに合わせ上下左右に可動する。筒の縁を股に押し当て、筒の中に排尿する。また筒の内側に給水口を配置し排尿中は筒に水を流し、使用しない時は筒をはね上げ止水する。
【実施例】
【０００７】  添付図面に従って実施例を説明する。  １はプラスチック等で形成された筒で、排尿中の状態を示す。  ２は排尿口で３の縁を股に押し当て筒の中に排尿する。  ４は給水口で排尿中は水を流し、５の排水口により排水する。  ６の軸承に支持された７の左右軸、８の上下軸、９は筒をはね上げて使用していない状態を示す。
【図面の簡単な説明】
【０００８】
【図１】本考案の、はね上げ装置付筒状水洗小便器の断面図である。
【符号の説明】
【０００９】  １    筒  ２    排尿口  ３    縁  ４    給水口  ５    排水口  ６    軸承  ７    左右軸  ８    上下軸  ９    はね上げた筒  １０  壁  １１  床
【図１】
0003143565.tif 000003
【手続補正書】
【提出日】平成20年4月22日(2008.4.22)
【手続補正１】
【補正対象書類名】実用新案登録請求の範囲
【補正対象項目名】全文
【補正方法】変更
【補正の内容】
【実用新案登録請求の範囲】
【請求項１】
筒の一端に軸承に回転自在に支持され、回転軸に取り付けた筒が上下左右に可動すると共に、他端に排尿口を設けて、筒の中に排尿する構造とし、筒の内側に給水口を配置して、使用中は筒内に水を流し、使用しないときは筒をはね上げ止水する構成を特徴とする、はね上げ装置付筒状水洗小便器。
(57)【要約】      （修正有）【課題】手摺りが付いていない洋式トイレ、あるいは付いていても利用しにくいトイレに、介護を必要とする人や障害のある人を対象に、既設トイレに容易に追設可能な水平方向、垂直方向の手摺りを提供する。【解決の手段】設置部分を便器８の後方として設置部分をビスやコウチスクリュウ、アンカ−ボルトなどで固定設置する。手摺りを支える支柱４は強度を高めるために、２本の支柱と床設置部分１を一体化させる。手摺り部分は取り外しができるようにして、トイレにあわせて取り付ける。支柱部分が大きくなる為に現場で両側支柱を連結金具で連結し組み立てる。可動式手摺りは、ロックレバ−６を大きくして握りやすくして可動範囲を１５°間隔で安全に可動するようにする。広いトイレで壁に手摺りを支える強度がある場合は壁に設置をすることもできる。【選択図】図１
0003143562.tif 000002
【実用新案登録請求の範囲】
【請求項１】
介護施設や障害者用トイレのような広い洋式トイレの床に設置して水平方向と垂直方向に握ることができる、又手摺り部分が水平方向に１５°間隔でロックをすることができ９０°可動する手摺り
【請求項２】
手摺りのない洋式トイレで床に設置することにより、壁の手摺り補強工事が不要な手摺り
【請求項３】
洋式トイレの背後の壁面に設置して水平方向と垂直方向に握ることができる、手摺り部分が水平方向に１５°間隔でロックをすることができ９０°可動する手摺り
【考案の詳細な説明】
【技術分野】
【０００１】手摺りの付いてない洋式トイレ、手摺りが付いていても利用しにくいトイレに床に手摺りを設置することで工事が容易である。
この手摺りは介護を必要とする人や障害のある人が洋式トイレを利用するときに水平方向の手摺りだけでなく垂直方向にも握ることができる、利用者が車椅子から便器に移動するとき、可動する手摺りを移動しやすい位置まで可動させて手摺りを握り立ち上がり、ロックレバーを解除しながら便器に移動できる手摺りである。
【背景技術】
【０００２】介護を必要とする人や障害のある人が洋式トイレを利用するときに手摺りが付いていないトイレ、広いトイレは片側には水平方向、垂直方向の手摺りが付いているが、反対側には水平方向の手摺りしかない。介護を必要とする人や障害のある人は両側に水平方向、垂直方向の手摺りが必要である。
【考案の開示】
【考案が解決しようとする課題】
【０００３】壁に手摺りを付ける強度がないことで手摺りを付ける事ができない。
介護を必要とする人や障害のある人が洋式トイレを利用するときに両側の手摺りに両方の手で水平方向、垂直方向に握ることができない為、車椅子から便器への移動が容易ではない。
【課題を解決するための手段】
【０００４】現在あるトイレの床に設置をすることができる。設置部分を便器の後方として設置部分をビスやコウチスクリュウ、アンカ−ボルトなどで固定設置する。手摺りを支える支柱は強度を高めるために、２本の支柱と床設置部分を一体化させる。手摺り部分は取り外しができるようにして、トイレにあわせて取り付ける。支柱部分が大きくなる為に現場で両側支柱を連結金具で連結し組み立てる。可動式手摺りは、ロックレバ−を大きくして握りやすくして可動範囲を１５°間隔で安全に可動するようにする。
広いトイレで壁に手摺りを支える強度がある場合は壁に設置をすることもできる。
【考案の効果】
【０００５】介護施設や障害者用トイレのような広いトイレで片側しか手摺りが付いてないトイレ、壁に手摺りを支える強度がない壁で床に手摺りを設置することにより壁に手摺りをつけるための工事が不要である。水平方向、垂直方向に握れる手摺りが可動することにより便器への移動が容易になる。
【図面の簡単な説明】
【０００６】
【図１】洋式トイレ用床付け手摺りを側面から見た図である。床設置部、手摺りを支える支柱を２本にして強度を高め手摺りと一体化した図面です。手摺りを壁に付けることができないとき両側を固定した手摺りを組み合わせて設置する。
【図２】洋式トイレ用床付け可動手摺りを正面から見た図面です。手摺り部分を１５°間隔でロックをすることができるようにして９０°水平方向に可動するようにする。
【図３】洋式トイレ用床付け固定手摺りを側面から見た図です。床設置部、手摺りを支える支柱を２本にして強度を高め手摺りと一体化した図面です。
【図４】洋式トイレ用床付け固定手摺りを正面から見た図です。床設置部、手摺りを支える支柱を２本にして強度を高めた手摺りを、接合金具で組み合わせた図面です。
【図５】壁付け可動手摺りを側面から見た図です。手摺り部分を１５°間隔でロックをすることができるようにして９０°水平意方向に可動するようにする。
【図６】壁付け可動手摺りを正面から見た図です。手摺り部分を１５°間隔でロックをすることができるようにして９０°水平方向に可動するようにする。
【符号の説明】
【０００７】  １    床設置部分
２    垂直方向の手摺り
３    水平方向の手摺り
４    支柱
５    ９０°水平に稼動する手摺り
６    １５°間隔でロックするレバー
７    床
８    便器
９    トイレ背後の壁
１０    トイレ側面の壁
１１    連結金具
１２    壁付け手摺り
【図１】
0003143562.tif 000003
【図２】
0003143562.tif 000004
【図３】
0003143562.tif 000005
【図４】
0003143562.tif 000006
【図５】
0003143562.tif 000007
【図６】
0003143562.tif 000008
【手続補正書】
【提出日】平成20年4月24日(2008.4.24)
【手続補正１】
【補正対象書類名】実用新案登録請求の範囲
【補正対象項目名】全文
【補正方法】変更
【補正の内容】
【実用新案登録請求の範囲】
【請求項１】
洋式トイレに支柱部分、連結部分、固定手摺部分、可動手摺部分、床設置部分、を組み合わせて床に設置をする手摺りであって、２本の支柱と床設置部分を１対化して、強度を高めた支柱に手摺部分と連結部分をボルトで取付ける為の接合部を設け、又、床設置部分には支柱を床にボルトやビスで固定する穴をあけ、便器の両側に設置した支柱を連結して固定をする金具の両端に、ボルトで両側の支柱に連結する接合部分を設け、床設置部分の連結金具には手摺の強度が得られるように床にボルトやビスで固定する穴をあけた連結金具、手摺部分はコの字型にして、上下先端部にボルトで支柱部に連結する接合部を設け、コの字型の手摺の先端部分に水平方向に１５°間隔で９０°可動して連結できる、接合部を設け、手摺の水平方向に可動してロックができる大きめの握りやすいレバーハンドルを設けた、洋式トイレの用途に合うように部材を組み合わせて床に設置をする手摺。